【手続補正書】
【提出日】平成20年8月26日(2008.8.26)
【手続補正１】
【補正対象書類名】明細書
【補正対象項目名】特許請求の範囲
【補正方法】変更
【補正の内容】
【特許請求の範囲】
【請求項１】  マトリクス状に配置された複数の非線形素子回路と発光部からなる画像表示配列を有している有機エレクトロルミネッセンスディスプレイパネルであって、前記非線形素子回路と電気的に接続された前記発光部に対応する第１の表示電極がマトリクス状に表面上に形成された透明基板において、前記非線形素子回路上に形成され、コンタクト領域を開口した絶縁膜と、前記第１の表示電極上に突出する電気絶縁性を有した突起と、前記非線形素子回路と前記第１の表示電極とのコンタクト領域を覆うようにして絶縁体が形成され、前記絶縁体で覆われている領域を含む前記第１の表示電極の各々上に形成された少なくとも１層の有機エレクトロルミネッセンス媒体の薄膜と、前記有機エレクトロルミネッセンス媒体の薄膜の上に共通に形成された第２の表示電極とからなることを特徴とする有機エレクトロルミネッセンスディスプレイパネル。
【請求項２】  マトリクス状に配置された複数の非線形素子回路と発光部からなる画像表示配列を有している有機エレクトロルミネッセンスディスプレイパネルであって、前記非線形素子回路と電気的に接続された前記発光部に対応する第１の表示電極がマトリクス状に表面上に形成された透明基板において、前記非線形素子回路上に形成され、コンタクト領域を開口した絶縁膜と、前記第１の表示電極上に突出する電気絶縁性を有した突起と、前記非線形素子回路と前記第１の表示電極とのコンタクト領域を覆うようにして導電体が形成され、前記導電体で覆われている領域を含む前記第１の表示電極の各々上に形成された少なくとも１層の有機エレクトロルミネッセンス媒体の薄膜と、前記有機エレクトロルミネッセンス媒体の薄膜の上に共通に形成された第２の表示電極とからなることを特徴とする有機エレクトロルミネッセンスディスプレイパネル。
【請求項３】  マトリクス状に配置された複数の非線形素子回路と発光部からなる画像表示配列を有している有機エレクトロルミネッセンスディスプレイパネルであって、前記非線形素子回路と電気的に接続された前記発光部に対応する第１の表示電極がマトリクス状に表面上に形成された透明基板において、前記非線形素子回路上に形成され、コンタクト領域を開口した絶縁膜と、前記非線形素子回路と前記第１の表示電極とのコンタクト領域を覆うようにして絶縁体が形成され、前記絶縁体で覆われている領域を含む前記第１の表示電極の各々上に形成された少なくとも１層の有機エレクトロルミネッセンス媒体の薄膜と、前記有機エレクトロルミネッセンス媒体の薄膜の上に共通に形成された第２の表示電極とからなることを特徴とする有機エレクトロルミネッセンスディスプレイパネル。
【請求項４】  マトリクス状に配置された複数の非線形素子回路と発光部からなる画像表示配列を有している有機エレクトロルミネッセンスディスプレイパネルであって、前記
非線形素子回路と電気的に接続された前記発光部に対応する第１の表示電極がマトリクス状に表面上に形成された透明基板において、前記非線形素子回路上に形成され、コンタクト領域を開口した絶縁膜と、前記非線形素子回路と前記第１の表示電極とのコンタクト領域を覆うようにして導電体が形成され、前記導電体で覆われている領域を含む前記第１の表示電極の各々上に形成された少なくとも１層の有機エレクトロルミネッセンス媒体の薄膜と、前記有機エレクトロルミネッセンス媒体の薄膜の上に共通に形成された第２の表示電極とからなることを特徴とする有機エレクトロルミネッセンスディスプレイパネル。
【請求項５】  前記非線形素子回路は互いに接続された薄膜トランジスタ及びコンデンサからなることを特徴とする請求項１から４のいずれか１項に記載の有機エレクトロルミネッセンスディスプレイパネル。
【請求項６】  前記基板及び前記第１表示電極が透明であることを特徴とする請求項１から４のいずれか１項に記載の有機エレクトロルミネッセンスディスプレイパネル。
【請求項７】  前記第２表示電極上に形成された反射膜を有することを特徴とする請求項１から４のいずれか１項に記載の有機エレクトロルミネッセンスディスプレイパネル。
【請求項８】  前記第２表示電極が透明であることを特徴とする請求項１から４のいずれか１項に記載の有機エレクトロルミネッセンスディスプレイパネル。
【請求項９】  前記第１表示電極の外側に形成された反射膜を有することを特徴とする請求項１から４のいずれか１項に記載の有機エレクトロルミネッセンスディスプレイパネル。
【請求項１０】  前記突起が感光性樹脂であることを特徴とする請求項１または２記載の有機エレクトロルミネッセンスディスプレイパネル。
【請求項１１】  前記絶縁体が感光性樹脂であることを特徴とする請求項１または３記載の有機エレクトロルミネッセンスディスプレイパネル。
【請求項１２】  前記導電体が透明であることを特徴とする請求項２または４記載の有機エレクトロルミネッセンスディスプレイパネル。
【請求項１３】  前記絶縁体が前記絶縁膜よりも厚く形成されていることを特徴とする請求項３記載の有機エレクトロルミネッセンスディスプレイパネル
【請求項１４】  前記導電体が前記第１の表示電極と同一材料で形成されていることを特徴とする請求項４記載の有機エレクトロルミネッセンスディスプレイパネル。
【請求項１５】  マトリクス状に配置された複数の非線形素子回路と発光部からなる画像表示配列を有している有機エレクトロルミネッセンスディスプレイパネルの製造方法であって、透明基板上に非線形素子回路をマトリクス状に形成配置する工程と、前記非線形素子回路上に絶縁膜を形成する工程と、前記絶縁膜に開口部を形成してその開口部を介して前記非線形素子回路と電気的に接続した前記発光部に対応する複数の第１表示電極を形成する工程と、前記第１表示電極上に電気絶縁性を有した突起を形成する工程と、前記絶縁膜の開口部上の前記第１表示電極上に導電体を形成する工程と、前記第１表示電極部を露出せしめる複数の開口を有するマスクを、前記突起の上面に載置し、有機エレクトロルミネッセンス媒体を前記開口を介して前記突起内の前記第１表示電極の各々上に堆積させ、少くとも１層の有機エレクトロルミネッセンス媒体の薄膜を形成する発光層形成工程と、前記有機エレクトロルミネッセンス媒体の薄膜の上に第２表示電極を共通に形成する工程とを含むことを特徴とする有機エレクトロルミネッセンスディスプレイパネルの製造方法。
【請求項１６】  マトリクス状に配置された複数の非線形素子回路と発光部からなる画像表示配列を有している有機エレクトロルミネッセンスディスプレイパネルの製造方法であって、透明基板上に非線形素子回路をマトリクス状に形成配置する工程と、前記非線形素子回路上に絶縁膜を形成する工程と、前記絶縁膜に開口部を形成してその開口部を介して前記非線形素子回路と電気的に接続した前記発光部に対応する複数の第１表示電極を形成する工程と、前記第１の表示電極上に電気絶縁性を有した突起を形成する工程と、前記絶縁膜の開口部上の前記第１表示電極上に絶縁体を形成する工程と、前記第１表示電極を露出せしめる複数の開口を有するマスクを、前記突起の上面に載置し、有機エレクトロル
ミネッセンス媒体を前記開口を介して前記突起内の前記第１表示電極の各々上に堆積させ、少くとも１層の有機エレクトロルミネッセンス媒体の薄膜を形成する発光層形成工程と、前記有機エレクトロルミネッセンス媒体の薄膜の上に第２表示電極を共通に形成する工程とを含むことを特徴とする有機エレクトロルミネッセンスディスプレイパネルの製造方法。
【請求項１７】  マトリクス状に配置された複数の非線形素子回路と発光部からなる画像表示配列を有している有機エレクトロルミネッセンスディスプレイパネルの製造方法であって、透明基板上に非線形素子回路をマトリクス状に形成配置する工程と、前記非線形素子回路上に絶縁膜を形成する工程と、前記絶縁膜に開口部を形成してその開口部を介して前記非線形素子回路と電気的に接続した前記発光部に対応する複数の第１表示電極を形成する工程と、前記絶縁膜の開口部上の前記第１表示電極上に導電体を形成する工程と、前記第１表示電極を露出せしめる複数の開口を有するマスクを前記導電体の上面に載置し、有機エレクトロルミネッセンス媒体を前記開口を介して前記第１表示電極の各々上に堆積させ、少くとも１層の有機エレクトロルミネッセンス媒体の薄膜を形成する発光層形成工程と、前記有機エレクトロルミネッセンス媒体の薄膜の上に第２表示電極を共通に形成する工程とを含むことを特徴とする有機エレクトロルミネッセンスディスプレイパネルの製造方法。
【請求項１８】  マトリクス状に配置された複数の非線形素子回路と発光部からなる画像表示配列を有している有機エレクトロルミネッセンスディスプレイパネルの製造方法であって、透明基板上に非線形素子回路をマトリクス状に形成配置する工程と、前記非線形素子回路上に絶縁膜を形成する工程と、前記絶縁膜に開口部を形成してその開口部を介して前記非線形素子回路と電気的に接続した前記発光部に対応する複数の第１表示電極を形成する工程と、前記絶縁膜の開口部上の前記第１表示電極上に絶縁体を形成する工程と、前記第１表示電極を露出せしめる複数の開口を有するマスクを前記絶縁体の上面に載置し、有機エレクトロルミネッセンス媒体を前記開口を介して前記第１表示電極の各々上に堆積させ、少くとも１層の有機エレクトロルミネッセンス媒体の薄膜を形成する発光層形成工程と、前記有機エレクトロルミネッセンス媒体の薄膜の上に第２表示電極を共通に形成する工程とを含むことを特徴とする有機エレクトロルミネッセンスディスプレイパネルの製造方法。
【請求項１９】  前記非線形素子回路は互いに接続された薄膜トランジスタ及びコンデンサからなることを特徴とする請求項１５から１８のいずれか１項に記載の有機エレクトロルミネッセンスディスプレイパネルの製造方法。
【請求項２０】  １つの前記開口が１つの前記第１表示電極上からその隣接する前記第１表示電極上へ配置されるように前記マスクを順次移動して発光色の異なる前記発光層形成工程を順次繰り返すことを特徴とする請求項１５から１８のいずれか１項に記載の有機エレクトロルミネッセンスディスプレイパネルの製造方法。
【請求項２１】  前記突起と前記絶縁体を同時に形成することを特徴とする請求項１６記載の有機エレクトロルミネッセンスディスプレイパネルの製造方法。